(57)【要約】本開示は、データ伝送方法、端末、基地局および記憶媒体を提供する。当該方法において、基地局から送信されるＳＦＩを取得するステップと、前記ＳＦＩで指示される所定伝送リソースの伝送方向がダウンリンクＳＰＳ伝送に関する伝送要求を満たさない場合、ダウンリンクＳＰＳ伝送に関する伝送を前記所定伝送リソースで実行しないステップ、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記所定伝送リソースで実行するステップとを含み、ここで、前記所定伝送リソースは、ダウンリンクＳＰＳ伝送に関する伝送を実行するためのリソースである。【選択図】図３
2021503848.tif 000002
【特許請求の範囲】
【請求項１】
端末に応用されるデータ伝送方法において、
基地局から送信されるＳＦＩ（Ｓｌｏｔ  Ｆｏｒｍａｔ  Ｉｎｄｉｃａｔｉｏｎ）を取得するステップと、
前記ＳＦＩで指示される所定伝送リソースの伝送方向がダウンリンクＳＰＳ（Ｓｅｍｉ−ｐｅｒｓｉｓｔｅｎｔ  Ｓｃｈｅｄｕｌｉｎｇ）伝送に関する伝送要求を満たさない場合、ダウンリンクＳＰＳ伝送に関する伝送を前記所定伝送リソースで実行しないステップ、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記所定伝送リソースで実行するステップと、を含み、
ここで、前記所定伝送リソースは、ダウンリンクＳＰＳ伝送に関する伝送を実行するためのリソースである、データ伝送方法。
【請求項２】
前記ＳＦＩで指示される所定伝送リソースの伝送方向がダウンリンクＳＰＳ伝送に関する伝送要求を満たさないことは、具体的に、
前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送用のリソースであり、
および／または、
前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送に対応するＨＡＲＱ−ＡＣＫ伝送用のリソースである、請求項１に記載のデータ伝送方法。
【請求項３】
前記ＳＦＩで指示される所定伝送リソースの伝送方向がダウンリンクＳＰＳ伝送に関する伝送要求を満たすことは、具体的に、
前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送用のリソースであり、
および／または、
前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送に対応するＨＡＲＱ−ＡＣＫ伝送用のリソースである、請求項１に記載のデータ伝送方法。
【請求項４】
ダウンリンクＳＰＳ伝送に関する伝送を前記所定伝送リソースで実行しないステップは、
ダウンリンクＳＰＳ  ＰＤＳＣＨ伝送を受信しないことを含む、請求項２に記載のデータ伝送方法。
【請求項５】
ダウンリンクＳＰＳ伝送に関する伝送を前記所定伝送リソースで実行しないステップは、
ダウンリンクＳＰＳ  ＰＤＳＣＨ伝送に対応する前記ＨＡＲＱ−ＡＣＫ伝送を行わないことを含む、請求項２または４に記載のデータ伝送方法。
【請求項６】
前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を行うことをさらに含み、かつフィードバック情報がＮＡＣＫである、請求項４に記載のデータ伝送方法。
【請求項７】
ダウンリンクＳＰＳ伝送に関する伝送を前記所定伝送リソースで実行するステップは、
ダウンリンクＳＰＳ  ＰＤＳＣＨ伝送を受信すること、および／または、
ダウンリンクＳＰＳ  ＰＤＳＣＨ伝送に対応するＨＡＲＱ−ＡＣＫ伝送を行うことを含む、請求項３に記載のデータ伝送方法。
【請求項８】
前記データ伝送方法の実行条件として、
前記ダウンリンクＳＰＳ伝送の活性化を指示するＰＤＣＣＨを前記端末が受信した後、または、前記ダウンリンクＳＰＳ伝送の活性化を指示するＰＤＣＣＨを前記端末が受信してから、前記ダウンリンクＳＰＳ伝送の解放を指示するＰＤＣＣＨを正しく受信するまでの間である、請求項１〜７のうちいずれか一項に記載のデータ伝送方法。
【請求項９】
基地局に応用されるデータ伝送方法において、
ＳＦＩを端末に送信するステップと、
前記ＳＦＩで指示される所定伝送リソースの伝送方向がダウンリンクＳＰＳ伝送に関する伝送要求を満たさない場合、ダウンリンクＳＰＳ伝送に関する伝送を前記端末が前記所定伝送リソースで実行しないと決定するステップ、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記端末が前記所定伝送リソースで実行すると決定するステップとを含み、
ここで、前記所定伝送リソースは、ダウンリンクＳＰＳ伝送に関する伝送を実行するためのリソースである、データ伝送方法。
【請求項１０】
前記ＳＦＩで指示される所定伝送リソースの伝送方向がダウンリンクＳＰＳ伝送に関する伝送要求を満たさないことは、具体的に、
前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送用のリソースであり、
および／または、
前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送に対応するＨＡＲＱ−ＡＣＫ伝送用のリソースである、請求項９に記載のデータ伝送方法。
【請求項１１】
前記ＳＦＩで指示される所定伝送リソースの伝送方向がダウンリンクＳＰＳ伝送に関する伝送要求を満たすことは、具体的に、
前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送用のリソースであり、
および／または、
前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送に対応するＨＡＲＱ−ＡＣＫ伝送用のリソースである、請求項９に記載のデータ伝送方法。
【請求項１２】
ダウンリンクＳＰＳ伝送に関する伝送を前記端末が前記所定伝送リソースで実行しないと決定するステップは、
ダウンリンクＳＰＳ  ＰＤＳＣＨ伝送を前記端末が受信しないと決定することを含む、請求項１０に記載のデータ伝送方法。
【請求項１３】
ダウンリンクＳＰＳ伝送に関する伝送を前記端末が前記所定伝送リソースで実行しないと決定するステップは、
ダウンリンクＳＰＳ  ＰＤＳＣＨ伝送に対応するＨＡＲＱ−ＡＣＫ伝送を前記端末が行わないと決定することを含む、請求項１０または１２に記載のデータ伝送方法。
【請求項１４】
前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を前記端末が行うと決定することをさらに含み、かつフィードバック情報がＮＡＣＫである、請求項１２に記載のデータ伝送方法。
【請求項１５】
前記のダウンリンクＳＰＳ伝送に関する伝送を前記端末が前記所定伝送リソースで実行すると決定するステップは、
ダウンリンクＳＰＳ  ＰＤＳＣＨ伝送を前記端末が受信すると決定すること、および／または、
ダウンリンクＳＰＳ  ＰＤＳＣＨ伝送に対応するＨＡＲＱ−ＡＣＫ伝送を前記端末が行うと決定することを含む、請求項１１に記載のデータ伝送方法。
【請求項１６】
トランシーバと、メモリと、プロセッサと、前記メモリに格納されて前記プロセッサで実行可能なコンピュータプログラムを含む端末において、
前記トランシーバは、
基地局から送信されるＳＦＩを取得することと、
前記ＳＦＩで指示される所定伝送リソースの伝送方向がダウンリンクＳＰＳ伝送に関する伝送要求を満たさない場合、ダウンリンクＳＰＳ伝送に関する伝送を前記所定伝送リソースで実行しないこと、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記所定伝送リソースで実行することと、に用いられ、
ここで、前記所定伝送リソースは、ダウンリンクＳＰＳ伝送に関する伝送を実行するためのリソースである、端末。
【請求項１７】
前記ＳＦＩで指示される所定伝送リソースの伝送方向がダウンリンクＳＰＳ伝送に関する伝送要求を満たさないことは、具体的に、
前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送用のリソースであり、
および／または、
前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送に対応するＨＡＲＱ−ＡＣＫ伝送用のリソースである、請求項１６に記載の端末。
【請求項１８】
前記ＳＦＩで指示される所定伝送リソースの伝送方向がダウンリンクＳＰＳ伝送に関する伝送要求を満たすことは、具体的に、
前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送用のリソースであり、
および／または、
前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送に対応するＨＡＲＱ−ＡＣＫ伝送用のリソースである、請求項１６に記載の端末。
【請求項１９】
前記トランシーバは、ダウンリンクＳＰＳ伝送に関する伝送を前記所定伝送リソースで実行しないステップとして、
ダウンリンクＳＰＳ  ＰＤＳＣＨ伝送を受信しないことを含む、請求項１７に記載の端末。
【請求項２０】
前記トランシーバは、ダウンリンクＳＰＳ伝送に関する伝送を前記所定伝送リソースで実行しないステップとして、
ダウンリンクＳＰＳ  ＰＤＳＣＨ伝送に対応する前記ＨＡＲＱ−ＡＣＫ伝送を行わないことを含む、請求項１７または１９に記載の端末。
【請求項２１】
前記トランシーバは、さらに、
前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を行うことに用いられ、かつフィードバック情報がＮＡＣＫである、請求項１９に記載の端末。
【請求項２２】
前記トランシーバは、ダウンリンクＳＰＳ伝送に関する伝送を前記所定伝送リソースで実行するステップとして、
ダウンリンクＳＰＳ  ＰＤＳＣＨ伝送を受信すること、および／または、
ダウンリンクＳＰＳ  ＰＤＳＣＨ伝送に対応するＨＡＲＱ−ＡＣＫ伝送を行うことを含む、請求項１８に記載の端末。
【請求項２３】
前記端末が前記データ伝送を実行する実行条件として、
前記ダウンリンクＳＰＳ伝送の活性化を指示するＰＤＣＣＨを前記端末が受信した後、または、前記ダウンリンクＳＰＳ伝送の活性化を指示するＰＤＣＣＨを前記端末が受信してから、前記ダウンリンクＳＰＳ伝送の解放を指示するＰＤＣＣＨを正しく受信するまでの間である、請求項１６〜２２のうちいずれか一項に記載の端末。
【請求項２４】
トランシーバと、メモリと、プロセッサと、前記メモリに格納されて前記プロセッサで実行可能なコンピュータプログラムを含む基地局において、
前記トランシーバは、ＳＦＩを端末に送信することに用いられ、
前記プロセッサは、前記ＳＦＩで指示される所定伝送リソースの伝送方向がダウンリンクＳＰＳ伝送に関する伝送要求を満たさない場合、ダウンリンクＳＰＳ伝送に関する伝送を前記端末が前記所定伝送リソースで実行しないと決定すること、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記端末が前記所定伝送リソースで実行すると決定することに用いられ、
ここで、前記所定伝送リソースは、ダウンリンクＳＰＳ伝送に関する伝送を実行するためのリソースである、基地局。
【請求項２５】
前記プロセッサは、具体的に、
前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することに用いられ、ここで、前記所定伝送リソースは、ダウンリンクＳＰＳ  ＰＤＳＣＨ伝送用のリソースであり、
および／または、
前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することに用いられ、ここで、前記所定伝送リソースは、ダウンリンクＳＰＳ  ＰＤＳＣＨ伝送に対応するＨＡＲＱ−ＡＣＫ伝送用のリソースである、請求項２４に記載の基地局。
【請求項２６】
前記プロセッサは、具体的に、
前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することに用いられ、ここで、前記所定伝送リソースは、ダウンリンクＳＰＳ  ＰＤＳＣＨ伝送用のリソースであり、
および／または、
前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することに用いられ、ここで、前記所定伝送リソースは、ダウンリンクＳＰＳ  ＰＤＳＣＨ伝送に対応するＨＡＲＱ−ＡＣＫ伝送用のリソースである、請求項２４に記載の基地局。
【請求項２７】
前記プロセッサは、ダウンリンクＳＰＳ伝送に関する伝送を前記端末が前記所定伝送リソースで実行しないと決定する際に、具体的に、
ダウンリンクＳＰＳ  ＰＤＳＣＨ伝送を前記端末が受信しないと決定することに用いられる、請求項２５に記載の基地局。
【請求項２８】
前記プロセッサは、ダウンリンクＳＰＳ伝送に関する伝送を前記端末が前記所定伝送リソースで実行しないと決定する際に、具体的に、
ダウンリンクＳＰＳ  ＰＤＳＣＨ伝送に対応する前記ＨＡＲＱ−ＡＣＫ伝送を前記端末が行わないと決定することに用いられる、請求項２５または２７に記載の基地局。
【請求項２９】
前記トランシーバは、さらに、
前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を前記端末が行うと決定することに用いられ、かつフィードバック情報がＮＡＣＫである、請求項２７に記載の基地局。
【請求項３０】
前記プロセッサは、ダウンリンクＳＰＳ伝送に関する伝送を前記端末が前記所定伝送リソースで実行すると決定する際に、具体的に、
ダウンリンクＳＰＳ  ＰＤＳＣＨ伝送を前記端末が受信すると決定すること、および／または、
ダウンリンクＳＰＳ  ＰＤＳＣＨ伝送に対応するＨＡＲＱ−ＡＣＫ伝送を前記端末が行うと決定することに用いられる、請求項２６に記載の基地局。
【請求項３１】
基地局から送信されるＳＦＩを取得することに用いられる第１送受信モジュールと、
前記ＳＦＩで指示される所定伝送リソースの伝送方向がダウンリンクＳＰＳ伝送に関する伝送要求を満たさない場合、ダウンリンクＳＰＳ伝送に関する伝送を前記所定伝送リソースで実行しないことに用いられる第１伝送モジュール、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記所定伝送リソースで実行することに用いられる第２伝送モジュールと、を含み、
ここで、前記所定伝送リソースは、ダウンリンクＳＰＳ伝送に関する伝送を実行するためのリソースである、端末。
【請求項３２】
ＳＦＩを端末に送信することに用いられる第２送受信モジュールと、
前記ＳＦＩで指示される所定伝送リソースの伝送方向がダウンリンクＳＰＳ伝送に関する伝送要求を満たさない場合、ダウンリンクＳＰＳ伝送に関する伝送を前記端末が前記所定伝送リソースで実行しないと決定することに用いられる第１処理モジュール、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記端末が前記所定伝送リソースで実行すると決定することに用いられる第２処理モジュールとを含み、
ここで、前記所定伝送リソースは、ダウンリンクＳＰＳ伝送に関する伝送を実行するためのリソースである、基地局。
【請求項３３】
コンピュータプログラムが格納されているコンピュータ読み取り可能な記憶媒体であって、
前記コンピュータプログラムがプロセッサによって実行されると、請求項１〜８のうちいずれか一項に記載のデータ伝送方法のステップが実現される、コンピュータ読み取り可能な記憶媒体。
【請求項３４】
コンピュータプログラムが格納されているコンピュータ読み取り可能な記憶媒体であって、
前記コンピュータプログラムがプロセッサによって実行されると、請求項９〜１５のうちいずれか一項に記載のデータ伝送方法のステップが実現される、コンピュータ読み取り可能な記憶媒体。
【発明の詳細な説明】
【技術分野】
【０００１】
本願は、２０１７年１１月１７日に中国特許庁に提出された中国特許出願２０１７１１１４７４０６．２の優先権を主張し、その全ての内容が援用によりここに取り込まれる。
本開示は、無線技術分野に係り、特にデータ伝送方法、端末、基地局および記憶媒体に係る。
【背景技術】
【０００２】
移動通信の通信サービス要求の発展および変化に伴い、ＩＴＵ（Ｉｎｔｅｒｎａｔｉｏｎａｌ  Ｔｅｌｅｃｏｍｍｕｎｉｃａｔｉｏｎ  Ｕｎｉｏｎ）や３ＧＰＰなどの機構では、５Ｇ  ＮＲ（５  Ｇｅｎｅｒａｔｉｏｎ  Ｎｅｗ  ＲＡＴ）などの新規無線通信システムの研究を始めている。５Ｇ  ＮＲにおいて、ＳＦＩ（Ｓｌｏｔ  Ｆｏｒｍａｔ  Ｉｎｄｉｃａｔｉｏｎ）の送信によって、一つまたは複数のスロット（ｓｌｏｔ）のアップリンク／ダウンリンク設定割合（ｓｌｏｔ  ｆｏｒｍａｔ）を変更させることができる。ＳＦＩは、ＧＣ−ＰＤＣＣＨ（Ｇｒｏｕｐ  Ｃｏｍｍｏｎ  ＰＤＣＣＨ）で搬送されて一定の周期で伝送され、周期内のスロットのアップリンク／ダウンリンク設定の動的変更を実現する。
【０００３】
５Ｇ  ＮＲにおいて、ダウンリンクＳＰＳ（Ｓｅｍｉ−ｐｅｒｓｉｓｔｅｎｔ  Ｓｃｈｅｄｕｌｉｎｇ）のＰＤＳＣＨ（Ｐｈｙｓｉｃａｌ  Ｄｏｗｎｌｉｎｋ  Ｓｈａｒｅｄ  Ｃｈａｎｎｅｌ）伝送を定義することもある。ＳＰＳ  ＰＤＳＣＨとは、伝送が行われる時間領域位置を予め設定された周期で決定し、ダウンリンクＳＰＳの活性化を指示するＰＤＣＣＨを受信すると、当該ＰＤＣＣＨで通知される周波数領域リソースおよびＭＣＳレベルなどのスケジューリング情報で伝送を行う。ダウンリンクＳＰＳ伝送もＳＦＩも設定される場合、ＳＦＩによって、ダウンリンクＳＰＳ伝送に対応する時間領域位置のリソース伝送方向を変更させ、例えばアップリンクに変更させる可能性がある。現段階では、端末がどのように伝送を行うかについて、まだ明確な方法がない。
【発明の概要】
【発明が解決しようとする課題】
【０００４】
本開示の技術手段の目的は、データ伝送方法、端末、基地局および記憶媒体を提供し、基地局からＳＦＩとダウンリンクＳＰＳのＰＤＳＣＨ伝送が同時に設定される場合のデータ伝送問題を解決しようとする。
【課題を解決するための手段】
【０００５】
本開示の具体的な実施例は、端末に応用されるデータ伝送方法を提供する。当該方法において、基地局から送信されるＳＦＩを取得するステップと、前記ＳＦＩで指示される所定伝送リソースの伝送方向がダウンリンクＳＰＳ伝送に関する伝送要求を満たさない場合、ダウンリンクＳＰＳ伝送に関する伝送を前記所定伝送リソースで実行しないステップ、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記所定伝送リソースで実行するステップとを含み、ここで、前記所定伝送リソースは、ダウンリンクＳＰＳ伝送に関する伝送を実行するためのリソースである。
【０００６】
好適に、前記データ伝送方法において、前記ＳＦＩで指示される所定伝送リソースの伝送方向がダウンリンクＳＰＳ伝送に関する伝送の要求を満たさないことは、具体的に、前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送用のリソースであり、および／または、前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送に対応するＨＡＲＱ−ＡＣＫ（ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ）伝送用のリソースである。
【０００７】
好適に、前記データ伝送方法において、前記ＳＦＩで指示される所定伝送リソースの伝送方向がダウンリンクＳＰＳ伝送に関する伝送要求を満たすことは、具体的に、前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送用のリソースであり、および／または、前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送に対応するＨＡＲＱ−ＡＣＫ伝送用のリソースである。
【０００８】
好適に、前記データ伝送方法において、ダウンリンクＳＰＳ伝送に関する伝送を前記所定伝送リソースで実行しないステップは、ダウンリンクＳＰＳ  ＰＤＳＣＨ伝送を受信しないことを含む。
【０００９】
好適に、前記データ伝送方法において、ダウンリンクＳＰＳ伝送に関する伝送を前記所定伝送リソースで実行しないステップは、ダウンリンクＳＰＳ  ＰＤＳＣＨ伝送に対応する前記ＨＡＲＱ−ＡＣＫ伝送を行わないことを含む。
【００１０】
好適に、前記データ伝送方法において、前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を行うことをさらに含み、かつフィードバック情報がＮＡＣＫである。
【００１１】
好適に、前記データ伝送方法において、ダウンリンクＳＰＳ伝送に関する伝送を前記所定伝送リソースで実行するステップは、ダウンリンクＳＰＳ  ＰＤＳＣＨ伝送を受信すること、および／または、ダウンリンクＳＰＳ  ＰＤＳＣＨ伝送に対応するＨＡＲＱ−ＡＣＫ伝送を行うことを含む。
【００１２】
好適に、前記データ伝送方法において、前記データ伝送方法の実行条件として、前記ダウンリンクＳＰＳ伝送の活性化を指示するＰＤＣＣＨを前記端末が受信した後、または、前記ダウンリンクＳＰＳ伝送の活性化を指示するＰＤＣＣＨを前記端末が受信してから、前記ダウンリンクＳＰＳ伝送の解放を指示するＰＤＣＣＨを正しく受信するまでの間である。
【００１３】
本開示の実施例は、基地局に応用されるデータ伝送方法をさらに提供する。当該方法において、ＳＦＩを端末に送信するステップと、前記ＳＦＩで指示される所定伝送リソースの伝送方向がダウンリンクＳＰＳ伝送に関する伝送要求を満たさない場合、ダウンリンクＳＰＳ伝送に関する伝送を前記端末が前記所定伝送リソースで実行しないと決定するステップ、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記端末が前記所定伝送リソースで実行すると決定するステップとを含み、ここで、前記所定伝送リソースは、ダウンリンクＳＰＳ伝送に関する伝送を実行するためのリソースである。
【００１４】
好適に、前記データ伝送方法において、前記ＳＦＩで指示される所定伝送リソースの伝送方向がダウンリンクＳＰＳ伝送に関する伝送要求を満たさないことは、具体的に、前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送用のリソースであり、および／または、前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送に対応するＨＡＲＱ−ＡＣＫ伝送用のリソースである。
【００１５】
好適に、前記データ伝送方法において、前記ＳＦＩで指示される所定伝送リソースの伝送方向がダウンリンクＳＰＳ伝送に関する伝送要求を満たすことは、具体的に、前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送用のリソースであり、および／または、前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送に対応するＨＡＲＱ−ＡＣＫ伝送用のリソースである。
【００１６】
好適に、前記データ伝送方法において、ダウンリンクＳＰＳ伝送に関する伝送を前記端末が前記所定伝送リソースで実行しないと決定するステップは、ダウンリンクＳＰＳ  ＰＤＳＣＨ伝送を前記端末が受信しないと決定することを含む。
【００１７】
好適に、前記データ伝送方法において、ダウンリンクＳＰＳ伝送に関する伝送を前記端末が前記所定伝送リソースで実行しないと決定するステップは、ダウンリンクＳＰＳ  ＰＤＳＣＨ伝送に対応する前記ＨＡＲＱ−ＡＣＫ伝送を前記端末が行わないと決定することを含む。
【００１８】
好適に、前記データ伝送方法において、前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を前記端末が行うと決定することをさらに含み、かつフィードバック情報がＮＡＣＫである。
【００１９】
好適に、前記データ伝送方法において、前記のダウンリンクＳＰＳ伝送に関する伝送を前記端末が前記所定伝送リソースで実行すると決定するステップは、ダウンリンクＳＰＳ  ＰＤＳＣＨ伝送を前記端末が受信すると決定すること、および／または、ダウンリンクＳＰＳ  ＰＤＳＣＨ伝送に対応するＨＡＲＱ−ＡＣＫ伝送を前記端末が行うと決定することを含む。
【００２０】
本開示の実施例は、トランシーバと、メモリと、プロセッサと、前記メモリに格納されて前記プロセッサで実行可能なコンピュータプログラムを含む端末をさらに提供する。前記トランシーバは、基地局から送信されるＳＦＩを取得することと、前記ＳＦＩで指示される所定伝送リソースの伝送方向がダウンリンクＳＰＳ伝送に関する伝送要求を満たさない場合、ダウンリンクＳＰＳ伝送に関する伝送を前記所定伝送リソースで実行しないこと、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記所定伝送リソースで実行することとに用いられ、ここで、前記所定伝送リソースは、ダウンリンクＳＰＳ伝送に関する伝送を実行するためのリソースである。
【００２１】
好適に、前記端末において、前記ＳＦＩで指示される所定伝送リソースの伝送方向がダウンリンクＳＰＳ伝送に関する伝送要求を満たさないことは、具体的に、前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送用のリソースであり、および／または、前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送に対応するＨＡＲＱ−ＡＣＫ伝送用のリソースである。
【００２２】
好適に、前記端末において、前記ＳＦＩで指示される所定伝送リソースの伝送方向がダウンリンクＳＰＳ伝送に関する伝送要求を満たすことは、具体的に、前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送用のリソースであり、および／または、前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送に対応するＨＡＲＱ−ＡＣＫ伝送用のリソースである。
【００２３】
好適に、前記端末において、前記トランシーバは、ダウンリンクＳＰＳ伝送に関する伝送を前記所定伝送リソースで実行しないステップとして、ダウンリンクＳＰＳ  ＰＤＳＣＨ伝送を受信しないことを含む。
【００２４】
好適に、前記端末において、前記トランシーバは、ダウンリンクＳＰＳ伝送に関する伝送を前記所定伝送リソースで実行しないステップとして、ダウンリンクＳＰＳ  ＰＤＳＣＨ伝送に対応する前記ＨＡＲＱ−ＡＣＫ伝送を行わないことをさらに含む。
【００２５】
好適に、前記端末において、前記トランシーバは、さらに、前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を行うことに用いられ、かつフィードバック情報がＮＡＣＫである。
【００２６】
好適に、前記端末において、前記トランシーバは、ダウンリンクＳＰＳ伝送に関する伝送を前記所定伝送リソースで実行するステップとして、ダウンリンクＳＰＳ  ＰＤＳＣＨ伝送を受信すること、および／または、ダウンリンクＳＰＳ  ＰＤＳＣＨ伝送に対応するＨＡＲＱ−ＡＣＫ伝送を行うことを含む。
【００２７】
好適に、前記端末において、前記端末が前記データ伝送を実行する実行条件として、前記ダウンリンクＳＰＳ伝送の活性化を指示するＰＤＣＣＨを前記端末が受信した後、または、前記ダウンリンクＳＰＳ伝送の活性化を指示するＰＤＣＣＨを前記端末が受信してから、前記ダウンリンクＳＰＳ伝送の解放を指示するＰＤＣＣＨを正しく受信するまでの間である。
【００２８】
本開示の実施例は、トランシーバと、メモリと、プロセッサと、前記メモリに格納されて前記プロセッサで実行可能なコンピュータプログラムを含む基地局をさらに提供する。前記トランシーバは、ＳＦＩを端末に送信することに用いられる。前記プロセッサは、前記ＳＦＩで指示される所定伝送リソースの伝送方向がダウンリンクＳＰＳ伝送に関する伝送要求を満たさない場合、ダウンリンクＳＰＳ伝送に関する伝送を前記端末が前記所定伝送リソースで実行しないと決定すること、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記端末が前記所定伝送リソースで実行すると決定することに用いられる。ここで、前記所定伝送リソースは、ダウンリンクＳＰＳ伝送に関する伝送を実行するためのリソースである。
【００２９】
好適に、前記基地局において、前記プロセッサは、具体的に、前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することに用いられ、ここで、前記所定伝送リソースは、ダウンリンクＳＰＳ  ＰＤＳＣＨ伝送用のリソースであり、および／または、前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することに用いられ、ここで、前記所定伝送リソースは、ダウンリンクＳＰＳ  ＰＤＳＣＨ伝送に対応するＨＡＲＱ−ＡＣＫ伝送用のリソースである。
【００３０】
好適に、前記基地局において、前記プロセッサは、具体的に、前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することに用いられ、ここで、前記所定伝送リソースは、ダウンリンクＳＰＳ  ＰＤＳＣＨ伝送用のリソースであり、および／または、前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することに用いられ、ここで、前記所定伝送リソースは、ダウンリンクＳＰＳ  ＰＤＳＣＨ伝送に対応するＨＡＲＱ−ＡＣＫ伝送用のリソースである。
【００３１】
好適に、前記基地局において、前記プロセッサは、ダウンリンクＳＰＳ伝送に関する伝送を前記端末が前記所定伝送リソースで実行しないと決定する際に、具体的に、ダウンリンクＳＰＳ  ＰＤＳＣＨ伝送を前記端末が受信しないと決定することに用いられる。
【００３２】
好適に、前記基地局において、前記プロセッサは、ダウンリンクＳＰＳ伝送に関する伝送を前記端末が前記所定伝送リソースで実行しないと決定する際に、具体的に、ダウンリンクＳＰＳ  ＰＤＳＣＨ伝送に対応する前記ＨＡＲＱ−ＡＣＫ伝送を前記端末が行わないと決定することに用いられる。
【００３３】
好適に、前記基地局において、前記トランシーバは、さらに、前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を前記端末が行うと決定することに用いられ、かつフィードバック情報がＮＡＣＫである。
【００３４】
好適に、前記基地局において、前記プロセッサは、ダウンリンクＳＰＳ伝送に関する伝送を前記端末が前記所定伝送リソースで実行すると決定する際に、具体的に、ダウンリンクＳＰＳ  ＰＤＳＣＨ伝送を前記端末が受信すると決定すること、および／または、ダウンリンクＳＰＳ  ＰＤＳＣＨ伝送に対応するＨＡＲＱ−ＡＣＫ伝送を前記端末が行うと決定することに用いられる。
【００３５】
本開示の実施例は、端末をさらに提供する。当該端末は、基地局から送信されるＳＦＩを取得することに用いられる第１送受信モジュールと、前記ＳＦＩで指示される所定伝送リソースの伝送方向がダウンリンクＳＰＳ伝送に関する伝送要求を満たさない場合、ダウンリンクＳＰＳ伝送に関する伝送を前記所定伝送リソースで実行しないことに用いられる第１伝送モジュール、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記所定伝送リソースで実行することに用いられる第２伝送モジュールとを含み、ここで、前記所定伝送リソースは、ダウンリンクＳＰＳ伝送に関する伝送を実行するためのリソースである。
【００３６】
本開示の実施例は、基地局をさらに提供する。当該基地局は、ＳＦＩを端末に送信することに用いられる第２送受信モジュールと、前記ＳＦＩで指示される所定伝送リソースの伝送方向がダウンリンクＳＰＳ伝送に関する伝送要求を満たさない場合、ダウンリンクＳＰＳ伝送に関する伝送を前記端末が前記所定伝送リソースで実行しないと決定することに用いられる第１処理モジュール、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記端末が前記所定伝送リソースで実行すると決定することに用いられる第２処理モジュールとを含み、ここで、前記所定伝送リソースは、ダウンリンクＳＰＳ伝送に関する伝送を実行するためのリソースである。
【００３７】
本開示の実施例は、コンピュータプログラムが格納されているコンピュータ読み取り可能な記憶媒体をさらに提供する。前記コンピュータプログラムがプロセッサによって実行されると、以上記載したいずれか一つのデータ伝送方法のステップが実現される。
【発明の効果】
【００３８】
本開示の実施例のデータ伝送方法において、ＳＰＳによって決定されてダウンリンクＳＰＳ伝送に対応するリソースの方向がダウンリンクＳＰＳ要件を満たさない場合、および／または、ダウンリンクＳＰＳを満たす場合のデータ伝送方式を明確化し、基地局からＳＦＩとダウンリンクＳＰＳのＰＤＳＣＨ伝送が同時に設定される場合のデータ伝送問題を解決でき、端末ＵＥの正常の通信を保証し、端末の電力節約効果も達成する。
【図面の簡単な説明】
【００３９】
本開示の実施例の技術手段をより明確に説明するために、以下、本開示の実施例に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００４０】
【図１】本開示の実施例１におけるデータ伝送方法のフローチャートである。
【図２】本開示の実施例２におけるデータ伝送方法のフローチャートである。
【図３】本開示の実施例３におけるデータ伝送方法のフローチャートである。
【図４】本開示の実施例のデータ伝送方法が用いられるスロット構造図である。
【図５】本開示の実施例のデータ伝送方法が用いられるスロット構造図である。
【図６】本開示の実施例のデータ伝送方法が用いられるスロット構造図である。
【図７】本開示の実施例のデータ伝送方法が用いられるスロット構造図である。
【図８】本開示の実施例のデータ伝送方法が用いられるスロット構造図である。
【図９】本開示の実施例のデータ伝送方法が用いられるスロット構造図である。
【図１０】本開示の実施例のデータ伝送方法が用いられるスロット構造図である。
【図１１】本開示の実施例のデータ伝送方法が用いられるスロット構造図である。
【図１２】本開示の実施例のデータ伝送方法が用いられるスロット構造図である。
【図１３】本開示の実施例のデータ伝送方法が用いられるスロット構造図である。
【図１４】本開示の実施例のデータ伝送方法が用いられるスロット構造図である。
【図１５】本開示の実施例４におけるデータ伝送方法のフローチャートである。
【図１６】本開示の実施例５における端末の構造図である。
【図１７】本開示の実施例６における基地局の構造図である。
【図１８】本開示の実施例７における端末の構造図である。
【図１９】本開示の実施例８における基地局の構造図である。
【発明を実施するための形態】
【００４１】
以下、本開示の実施例における図面を参照しながら、本開示の実施例における技術手段を明確かつ完全に記載する。明らかに、記載される実施例は、本開示の実施例の一部であり、全てではない。本開示の実施例に基づき、当業者が創造性のある作業をせずに為しえる全ての実施例は、いずれも本開示の保護範囲に属するものである。
【００４２】
本開示の解決しようとする技術課題、技術手段および利点を明確にするために、以下、図面および具体的な実施例を参照して詳細に記載する。以下の記載において、具体的な設定や構成の特定な細部は、単に本開示の実施例を全面的に理解してもらうことに役立つために提供される。よって、当業者にとって、本開示の範囲や趣旨を逸脱せずに、ここで記載した実施例に対し様々な変更や修正を行うことができることは自明である。また、明確さと簡潔さをために、周知されている機能や構造に対する記載を省略している。
【００４３】
なお、明細書の全文にわたって言及されている「１つの実施例」や「一実施例」とは、実施例に関連する特定の特徴、構造または特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【００４４】
本開示の各実施例において、下記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【００４５】
また、本文において、「システム」と「ネットワーク」は、常に互換して使用することができる。
【００４６】
本願の実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【００４７】
本開示の実施例において、アクセスネットワークの形態は、限られるものではなく、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、Ｎｏｄｅ  Ｂ（３Ｇ移動基地局）、強化型基地局（ｅＮＢ）、ホーム強化型基地局（Ｆｅｍｔｏ  ｅＮＢまたはＨｏｍｅ  ｅＮｏｄｅ  ＢまたはＨｏｍｅ  ｅＮＢまたはＨｅＮＢ）、中継局、アクセスポイント、ＲＲＵ（Ｒｅｍｏｔｅ  Ｒａｄｉｏ  Ｕｎｉｔ）、ＲＲＨ（Ｒｅｍｏｔｅ  Ｒａｄｉｏ  Ｈｅａｄ）などを含むアクセスネットワークである。ユーザ端末は、移動電話機（または携帯電話）、またはそれ以外の無線信号の送受信が可能な機器であり、ユーザ機器、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をｗｉｆｉ信号に変換可能なＣＰＥ（Ｃｕｓｔｏｍｅｒ  Ｐｒｅｍｉｓｅ  Ｅｑｕｉｐｍｅｎｔ）またはＭｉｆｉ、スマート家電、またはそれ以外の人の操作によらずに自発的に移動通信ネットワークと通信可能な機器などが含まれる。
【００４８】
具体的に、本開示の実施例は、基地局からＳＦＩとダウンリンクＳＰＳのＰＤＳＣＨ伝送が同時に設定される場合のデータ伝送問題を解決でき、端末ＵＥの正常の通信を保証し、端末の電力節約効果も達成するデータ伝送方法を提供する。
【００４９】
（実施例１）
図１を参照し、本開示の実施例１の端末に応用されるデータ伝送方法において、基地局から送信されるＳＦＩを取得するステップＳ１１０と、前記ＳＦＩで指示される所定伝送リソースの伝送方向がダウンリンクＳＰＳ伝送に関する伝送要求を満たさない場合、ダウンリンクＳＰＳ伝送に関する伝送を前記所定伝送リソースで実行しないステップＳ１２０とを含み、ここで、前記所定伝送リソースは、予め設定される、ダウンリンクＳＰＳ伝送の関連伝送を実行するためのリソースである。
【００５０】
本開示の実施例１のデータ伝送方法において、ＳＦＩで指示されるダウンリンクＳＰＳ伝送の関連伝送を実行するためのリソース（所定伝送リソース）の伝送方向がダウンリンクＳＰＳ伝送の伝送要求を満たさない場合、ダウンリンクＳＰＳ伝送の関連伝送を前記所定伝送リソースで実行しないと決定する。
【００５１】
具体的に、ステップＳ１２０において、ＳＦＩで指示される所定伝送リソースの伝送方向がダウンリンクＳＰＳ伝送に関する伝送要求を満たさないことは、具体的に、ＳＦＩで指示される所定伝送リソースの伝送方向がアップリンクである場合、ＳＦＩで指示される所定伝送リソースの伝送方向がダウンリンクＳＰＳの伝送要求を満たさないと決定することを含み、ここで、所定伝送リソースは、ダウンリンクＳＰＳ  ＰＤＳＣＨ伝送用のリソースであり、および／または、ＳＦＩで指示される所定伝送リソースの伝送方向がダウンリンクである場合、ＳＦＩで指示される所定伝送リソースの伝送方向がダウンリンクＳＰＳの伝送要求を満たさないと決定することを含み、ここで、所定伝送リソースは、ダウンリンクＳＰＳ  ＰＤＳＣＨ伝送に対応するＨＡＲＱ−ＡＣＫ伝送用のリソースである。
【００５２】
具体的に、ダウンリンクＳＰＳ  ＰＤＳＣＨ伝送用のリソースは、予め設定されたダウンリンクＳＰＳ伝送の周期に基づいて決定され、少なくとも、時間領域の位置、たとえばシンボル、スロット、サブフレームなどの番号の一つまたは組み合わせを指す。
【００５３】
ダウンリンクＳＰＳ  ＰＤＳＣＨ伝送に対応するＨＡＲＱ−ＡＣＫ伝送用のリソースは、当該ダウンリンクＳＰＳ  ＰＤＳＣＨの活性化を指示するＰＤＣＣＨのうちのＨＡＲＱ−ＡＣＫ  ｔｉｍｉｎｇ指示フィールドに基づいて決定され、または、ハイレイヤシグナリングで設定されたＨＡＲＱ−ＡＣＫ  ｔｉｍｉｎｇやプロトコルで予め定義されたＨＡＲＱ−ＡＣＫ  ｔｉｍｉｎｇに基づいて決定され、少なくとも、時間領域の位置、たとえばシンボル、スロット、サブフレームなどの番号の一つまたは組み合わせを指す。
【００５４】
また、ステップＳ１２０において、ウンリンクＳＰＳ伝送の関連伝送を所定伝送リソースで実行しないステップは、ダウンリンクＳＰＳ  ＰＤＳＣＨ伝送を受信しないことを含む。すなわち、所定伝送リソースに対応するダウンリンクＳＰＳ伝送用のリソースでダウンリンクＳＰＳ  ＰＤＳＣＨを受信しない。
【００５５】
さらに、ステップＳ１２０において、ダウンリンクＳＰＳ伝送の関連伝送を所定伝送リソースで実行しないステップは、ダウンリンクＳＰＳ  ＰＤＳＣＨ伝送に対応する前記ＨＡＲＱ−ＡＣＫ伝送を行わないことをさらに含む。すなわち、所定伝送リソースに対応するＨＡＲＱ−ＡＣＫフィードバック用の対応リソースでは、ダウンリンクＳＰＳ伝送に対応するＨＡＲＱ−ＡＣＫフィードバックを行わない。
【００５６】
本開示の具体的な実施例の別の方面において、所定伝送リソースが、予め設定されたダウンリンクＳＰＳ伝送の周期に基づいて決定されるダウンリンクＳＰＳ伝送用のリソースであり、ＳＦＩで指示されるダウンリンクＳＰＳ伝送用のリソースの伝送方向がアップリンクである場合、前記端末がダウンリンクＳＰＳ  ＰＤＳＣＨ伝送を受信せず、さらに、ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を行うことを含み、かつフィードバック情報がＮＡＣＫである。
【００５７】
また、好適に、上記方式に基づき、ダウンリンクＳＰＳ伝送の関連伝送を所定伝送リソースで行わないステップは、端末が、ダウンリンクＳＰＳ伝送を受信する前に、基地局から送信されるＳＦＩを受信し、ＳＦＩで指示されるダウンリンクＳＰＳ伝送に対応するＨＡＲＱ−ＡＣＫフィードバック用の対応リソースがダウンリンクであると、ダウンリンクＳＰＳ伝送を受信しないと決定することをさらに含む。
【００５８】
（実施例２）
図２を参照し、本開示の実施例２の端末に応用されるデータ伝送方法において、基地局から送信されるＳＦＩを取得するステップＳ２１０と、前記ＳＦＩで指示される所定伝送リソースの伝送方向がダウンリンクＳＰＳ伝送に関する伝送要求を満たす場合、ダウンリンクＳＰＳ伝送に関する伝送を前記所定伝送リソースで実行するステップＳ２２０とを含み、ここで、前記所定伝送リソースは、ダウンリンクＳＰＳ伝送に関する伝送を実行するためのリソースである。
【００５９】
本開示の実施例２のデータ伝送方法において、ＳＦＩで指示されるダウンリンクＳＰＳ伝送の関連伝送を実行するためのリソース（所定伝送リソース）の伝送方向がダウンリンクＳＰＳの伝送要求を満たす場合、ダウンリンクＳＰＳ伝送の関連伝送を前記所定伝送リソースで実行すると決定する。
【００６０】
具体的に、ステップＳ２２０において、前記ＳＦＩで指示される所定伝送リソースの伝送方向がダウンリンクＳＰＳ伝送に関する伝送要求を満たすことは、具体的に、前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送用のリソースであり、および／または、前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送に対応するＨＡＲＱ−ＡＣＫ伝送用のリソースである。
【００６１】
また、ステップＳ２２０において、ダウンリンクＳＰＳ伝送に関する伝送を前記所定伝送リソースで実行するステップは、ダウンリンクＳＰＳ  ＰＤＳＣＨ伝送を受信すること、および／または、ダウンリンクＳＰＳ  ＰＤＳＣＨ伝送に対応するＨＡＲＱ−ＡＣＫ伝送を行うことを含む。
【００６２】
（実施例３）
図３を参照し、本開示の実施例３の端末に応用されるデータ伝送方法において、基地局から送信されるＳＦＩを取得するステップＳ３１０と、前記ＳＦＩで指示される所定伝送リソースの伝送方向がダウンリンクＳＰＳ伝送に関する伝送要求を満たさない場合、ダウンリンクＳＰＳ伝送に関する伝送を前記所定伝送リソースで実行しないステップＳ３２０と、前記ＳＦＩで指示される所定伝送リソースの伝送方向がダウンリンクＳＰＳ伝送に関する伝送要求を満たす場合、ダウンリンクＳＰＳ伝送に関する伝送を前記所定伝送リソースで実行するステップＳ３３０とを含み、ここで、前記所定伝送リソースは、ダウンリンクＳＰＳ伝送に関する伝送を実行するためのリソースである。
【００６３】
本開示の実施例３のデータ伝送方法において、ＳＦＩで指示されるダウンリンクＳＰＳ伝送の関連伝送を実行するためのリソース（所定伝送リソース）の伝送方向がダウンリンクＳＰＳの伝送要求を満たす場合、ダウンリンクＳＰＳ伝送の関連伝送を前記所定伝送リソースで実行すると決定し、ＳＦＩで指示されるダウンリンクＳＰＳ伝送の関連伝送を実行するためのリソース（所定伝送リソース）の伝送方向がダウンリンクＳＰＳの伝送要求を満たさない場合、ダウンリンクＳＰＳ伝送の関連伝送を前記所定伝送リソースで実行しないと決定する。
【００６４】
当該実施例３において、具体的に、ＳＦＩで指示される所定伝送リソースの伝送方向がＳＰＳ伝送の伝送要求を満たすか否か、ダウンリンクＳＰＳ伝送に関する伝送要求を満たさない場合、ダウンリンクＳＰＳ伝送に関連する伝送を前記所定伝送リソースで実行しない具体的な方式や、ダウンリンクＳＰＳ伝送に関する伝送要求を満たす場合、ダウンリンクＳＰＳ伝送に関連する伝送を前記所定伝送リソースで実行する具体的な方式は、図１、図２および以上の実施例１、２の記載を参照し、ここでは詳細に説明しない。
【００６５】
本開示の実施例１〜３において、上記いずれか一つのデータ伝送方法の実行条件として、前記ダウンリンクＳＰＳ伝送の活性化を指示するＰＤＣＣＨを前記端末が受信した後、または、前記ダウンリンクＳＰＳ伝送の活性化を指示するＰＤＣＣＨを前記端末が受信してから、前記ダウンリンクＳＰＳ伝送の解放を指示するＰＤＣＣＨを正しく受信するまでの間である。
【００６６】
本開示の実施例１〜３のいずれか一つのデータ伝送方法において、ＳＰＳによって決定されるダウンリンクＳＰＳ伝送に対応するリソースの方向がダウンリンクＳＰＳ要求を満たさない場合、および／または、ダウンリンクＳＰＳ要求を満たす場合のデータ伝送方式を明確に定義し、基地局からＳＦＩとダウンリンクＳＰＳのＰＤＳＣＨ伝送が同時に設定される場合のデータ伝送問題を解決でき、端末ＵＥの正常の通信を保証し、端末の電力節約効果も達成する。
【００６７】
以下、図４〜図１４を参照して本開示の実施例のデータ伝送方法の具体的な実行フローを詳細に記載する。
【００６８】
図４〜図１０に示すように、スロット伝送構造ｓｌｏｔ  ｓｔｒｕｃｔｕｒｅでは、ＳＦＩは、５ｓｌｏｔを周期に一回送信される。端末は、一つのＳＦＩを受信すると、連続する５ｓｌｏｔのｓｌｏｔ構造（内容として、各ｓｌｏｔのアップリンク／ダウンリンクリソース割り当て、アップリンクＵＬのシンボル数、ダウンリンクＤＬのシンボル数、ｕｎｋｎｏｗｎのシンボル数などを含む）を通知し、図４〜図１０に示すように、ｓｌｏｔ０から始まり、端末では、ｓｌｏｔ１から５ｓｌｏｔ周期にＳＰＳ  ＰＤＳＣＨ伝送機会が存在することが設定されると、すなわち、ｓｌｏｔ１、ｓｌｏｔ５、ｓｌｏｔ９．．．では、ＳＰＳ  ＰＤＳＣＨの伝送機会である。
【００６９】
実施例１では、図４に示すように、端末は、ｓｌｏｔ０でＳＦＩを検出し、かつｓｌｏｔ１のすべてのシンボルまたはｓｌｏｔ１でＳＰＳ  ＰＤＳＣＨに占用されるシンボルがダウンリンクまたはｕｎｋｎｏｗｎであることが当該ＳＦＩで指示される（すなわちダウンリンクＳＰＳ伝送に関する伝送要求を満たす）場合、ＳＰＳ  ＰＤＳＣＨの活性化を指示するＰＤＣＣＨ（当該ＰＤＣＣＨは、端末ではｓｌｏｔ１でまたはｓｌｏｔ１の前に受信される）のうちのスケジューリング情報に従ってｓｌｏｔ１でＳＰＳ  ＰＤＳＣＨを受信する。さらに、当該ＳＰＳ  ＰＤＳＣＨのＨＡＲＱ−ＡＣＫフィードバックがｓｌｏｔ４で伝送される（たとえば、当該ＳＰＳ  ＰＤＳＣＨの活性化を指示するＰＤＣＣＨのうちのＨＡＲＱ−ＡＣＫ  ｔｉｍｉｎｇ指示フィールドに基づいて、当該フィードバック位置及び対応するフィードバックリソースを決定してもよく、予めの定義や設定に基づいてフィードバック位置およびフィードバックリソースを決定してもよい。）と、ＵＥは、決定されたリソース（時間領域位置と周波数領域リソース）で当該ＳＰＳ  ＰＤＳＣＨのＨＡＲＱ−ＡＣＫをｓｌｏｔ４で伝送する（この場合、ＳＦＩは、ｓｌｏｔ４でＨＡＲＱ−ＡＣＫを伝送する時間領域リソースをダウンリンクに変更させない。）。または、図５に示すように、ｓｌｏｔ４のすべてのシンボルまたはｓｌｏｔ４ではｓｌｏｔ１でのＳＰＳ  ＰＤＳＣＨのＨＡＲＱ−ＡＣＫを伝送するための時間領域リソース位置がダウンリンクであることが当該ＳＦＩで指示される（すなわち、ダウンリンクＳＰＳ伝送に関する伝送要求を満たさない）と、ＵＥは、当該ＳＰＳ  ＰＤＳＣＨのＨＡＲＱ−ＡＣＫフィードバックをｓｌｏｔ４で行わない。さらに、図６に示すように、端末は、ｓｌｏｔ１の前に、ｓｌｏｔ４ではｓｌｏｔ１でのＳＰＳ  ＰＤＳＣＨのＨＡＲＱ−ＡＣＫフィードバックができないと決定できるため、当該ＳＰＳ  ＰＤＳＣＨをｓｌｏｔ１で受信しなくてもよく、それによって電力損失の節約につながる。
【００７０】
実施例２では、図７に示すように、端末は、ｓｌｏｔ０でＳＦＩを検出し、かつｓｌｏｔ１のすべてのシンボルまたはｓｌｏｔ１でＳＰＳ  ＰＤＳＣＨに占用されるシンボルがアップリンクであることが当該ＳＦＩで指示される（すなわちダウンリンクＳＰＳ伝送に関する伝送要求を満たさない）場合、ＳＰＳ  ＰＤＳＣＨをｓｌｏｔ１で受信せず、それによって電力損失の節約につながる。さらに、図７に示すように、当該ＳＰＳ  ＰＤＳＣＨのＨＡＲＱ−ＡＣＫフィードバックがｓｌｏｔ４で伝送するとすると、ＵＥは、（ＳＦＩで指示されるｓｌｏｔ４のアップリンク／ダウンリンク割り当てにかかわらず）当該ＳＰＳ  ＰＤＳＣＨのＨＡＲＱ−ＡＣＫフィードバックをｓｌｏｔ４で行わなくてもよい。ＵＥ自体が当該ＳＰＳ  ＰＤＳＣＨを受信しないため、さらに電力損失の節約につながる。または、図８に示すように、ｓｌｏｔ４のすべてのシンボルまたはｓｌｏｔ４ではｓｌｏｔ１でのＳＰＳ  ＰＤＳＣＨのＨＡＲＱ−ＡＣＫを伝送するための時間領域リソース位置がダウンリンクであることがＳＦＩで指示される（すなわちダウンリンクＳＰＳ伝送に関する伝送要求を満たさない）と、ＵＥは、当該ＳＰＳ  ＰＤＳＣＨのＨＡＲＱ−ＡＣＫフィードバックをｓｌｏｔ４で行わない。図９に示すように、ｓｌｏｔ４のすべてのシンボルまたはｓｌｏｔ４ではｓｌｏｔ１でのＳＰＳ  ＰＤＳＣＨのＨＡＲＱ−ＡＣＫを伝送するための時間領域リソース位置がアップリンクまたはｕｎｋｎｏｗｎであることがＳＦＩで指示される（すなわちダウンリンクＳＰＳ伝送に関する伝送要求を満たす）と、ＵＥは、当該ＳＰＳ  ＰＤＳＣＨのＨＡＲＱ−ＡＣＫフィードバックをｓｌｏｔ４で行い、ＮＡＣＫを生成してＳＰＳ  ＰＤＳＣＨのＨＡＲＱ−ＡＣＫフィードバック情報とし、決定されたリソース（時間領域位置と周波数領域リソース）で当該ＳＰＳ  ＰＤＳＣＨのＨＡＲＱ−ＡＣＫを伝送する。
【００７１】
図１０〜図１４を参照し、別のスロット伝送構造ｓｌｏｔ  ｓｔｒｕｃｔｕｒｅでは、ＳＦＩは、１ｓｌｏｔを周期に一回送信される。端末は、一つのＳＦＩを受信すると、当該ＳＦＩ伝送が行われるｓｌｏｔの構造（ｓｌｏｔのアップリンク／ダウンリンクリソース割り当て、ＤＬのシンボル数、ＵＬのシンボル数、ｕｎｋｎｏｗｎのシンボル数などを含む）を通知する。図１０〜図１４に示すように、端末では、ｓｌｏｔ１から５ｓｌｏｔ周期にＳＰＳ  ＰＤＳＣＨ伝送機会が存在すると設定され、すなわち、ｓｌｏｔ１、ｓｌｏｔ５、ｓｌｏｔ９．．．では、ＳＰＳ  ＰＤＳＣＨの伝送機会である。
【００７２】
実施例３では、図１０に示すように、端末は、ｓｌｏｔ１でＳＦＩを検出し、かつｓｌｏｔ１のすべてのシンボルまたはｓｌｏｔ１でＳＰＳ  ＰＤＳＣＨに占用されるシンボルがダウンリンクまたはｕｎｋｎｏｗｎであることが当該ＳＦＩで指示される（すなわちダウンリンクＳＰＳ伝送に関する伝送要求を満たす）場合、ＳＰＳ  ＰＤＳＣＨの活性化を指示するＰＤＣＣＨのうちのスケジューリング情報に従ってｓｌｏｔ１でＳＰＳ  ＰＤＳＣＨを受信する。さらに、当該ＳＰＳ  ＰＤＳＣＨのＨＡＲＱ−ＡＣＫフィードバックがｓｌｏｔ４で伝送されると、ＵＥは、決定されたリソース（時間領域位置と周波数領域リソース）で当該ＳＰＳ  ＰＤＳＣＨのＨＡＲＱ−ＡＣＫをｓｌｏｔ４で伝送する（この場合、ｓｌｏｔ４でのＳＦＩは、ｓｌｏｔ４でＨＡＲＱ−ＡＣＫを伝送する時間領域リソースをダウンリンクに変更させない。）。または、図１１に示すように、ｓｌｏｔ４のすべてのシンボルまたはｓｌｏｔ４ではｓｌｏｔ１でのＳＰＳ  ＰＤＳＣＨのＨＡＲＱ−ＡＣＫを伝送するための時間領域リソース位置がダウンリンクであることがｓｌｏｔ４でのＳＦＩで指示される（すなわちダウンリンクＳＰＳ伝送に関する伝送要求を満たさない）と、ＵＥは、当該ＳＰＳ  ＰＤＳＣＨのＨＡＲＱ−ＡＣＫフィードバックをｓｌｏｔ４で行わない。端末は、ｓｌｏｔ４ではＨＡＲＱ−ＡＣＫフィードバックが可能かを、ｓｌｏｔ１で決定できないため、ＳＰＳ  ＰＤＳＣＨを受信するかを、ｓｌｏｔ１で指示されるリソースで決定するしかできない。
【００７３】
実施例４では、端末は、ｓｌｏｔ１でＳＦＩを検出し、かつｓｌｏｔ１のすべてのシンボルまたはｓｌｏｔ１でＳＰＳ  ＰＤＳＣＨに占用されるシンボルがアップリンクであることが当該ＳＦＩで指示される（すなわちダウンリンクＳＰＳ伝送に関する伝送要求を満たさない）場合、ＳＰＳ  ＰＤＳＣＨをｓｌｏｔ１で受信せず、電力損失の節約につながる。さらに、図１２に示すように、当該ＳＰＳ  ＰＤＳＣＨのＨＡＲＱ−ＡＣＫフィードバックがｓｌｏｔ４で伝送すると、ＵＥは、（ＳＦＩで指示されるｓｌｏｔ４のアップリンク／ダウンリンク割り当てにかかわらず）当該ＳＰＳ  ＰＤＳＣＨのＨＡＲＱ−ＡＣＫフィードバックをｓｌｏｔ４で行わなくてもよい。ＵＥ自体が当該ＳＰＳ  ＰＤＳＣＨを受信しないため、さらに電力損失の節約につながる。または、図１３に示すように、ｓｌｏｔ４のすべてのシンボルまたはｓｌｏｔ４ではｓｌｏｔ１でのＳＰＳ  ＰＤＳＣＨのＨＡＲＱ−ＡＣＫを伝送するための時間領域リソース位置がダウンリンクであることがＳＦＩで指示される（すなわちダウンリンクＳＰＳ伝送に関する伝送要求を満たさない）と、ＵＥは、当該ＳＰＳ  ＰＤＳＣＨのＨＡＲＱ−ＡＣＫフィードバックをｓｌｏｔ４で行わない。図１４に示すように、ｓｌｏｔ４のすべてのシンボルまたはｓｌｏｔ４ではｓｌｏｔ１でのＳＰＳ  ＰＤＳＣＨのＨＡＲＱ−ＡＣＫを伝送するための時間領域リソース位置がアップリンクまたはｕｎｋｎｏｗｎであることがＳＦＩで指示される（すなわちダウンリンクＳＰＳ伝送に関する伝送要求を満たす）と、ＵＥは、当該ＳＰＳ  ＰＤＳＣＨのＨＡＲＱ−ＡＣＫフィードバックをｓｌｏｔ４で行い、ＮＡＣＫを生成してＳＰＳ  ＰＤＳＣＨのＨＡＲＱ−ＡＣＫフィードバック情報とし、決定されたリソース（時間領域位置と周波数領域リソース）で当該ＳＰＳ  ＰＤＳＣＨのＨＡＲＱ−ＡＣＫを伝送する。
【００７４】
（実施例４）
図１５を参照し、本開示の実施例４は、基地局に応用されるデータ伝送方法を提供する。図１５に示すように、前記方法において、ＳＦＩを端末に送信するステップＳ１５１０と、前記ＳＦＩで指示される所定伝送リソースの伝送方向がダウンリンクＳＰＳ伝送に関する伝送要求を満たさない場合、ダウンリンクＳＰＳ伝送に関する伝送を前記端末が前記所定伝送リソースで実行しないと決定するステップ、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記端末が前記所定伝送リソースで実行すると決定するステップＳ１５２０とを含み、ここで、前記所定伝送リソースは、ダウンリンクＳＰＳ伝送に関する伝送を実行するためのリソースである。
【００７５】
具体的に、上記ステップＳ１５２０において、前記ＳＦＩで指示される所定伝送リソースの伝送方向がダウンリンクＳＰＳ伝送に関する伝送要求を満たさないことは、具体的に、前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送用のリソースであり、および／または、前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送に対応するＨＡＲＱ−ＡＣＫ伝送用のリソースである。
【００７６】
本開示の具体的な実施例の別の方面において、ステップＳ１５２０では、前記データ伝送方法において、前記ＳＦＩで指示される所定伝送リソースの伝送方向がダウンリンクＳＰＳ伝送に関する伝送要求を満たすことは、具体的に、前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送用のリソースであり、および／または、前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送に対応するＨＡＲＱ−ＡＣＫ伝送用のリソースである。
【００７７】
ステップＳ１５２０において、ダウンリンクＳＰＳ伝送に関する伝送を前記端末が前記所定伝送リソースで実行しないと決定するステップは、ダウンリンクＳＰＳ  ＰＤＳＣＨ伝送を前記端末が受信しないと決定することを含む。
【００７８】
さらに、ダウンリンクＳＰＳ伝送に関する伝送を前記端末が前記所定伝送リソースで実行しないと決定するステップは、ダウンリンクＳＰＳ  ＰＤＳＣＨ伝送に対応する前記ＨＡＲＱ−ＡＣＫ伝送を前記端末が行わないと決定することを含む。
【００７９】
また、前記方法において、前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を前記端末が行うと決定することをさらに含み、かつフィードバック情報がＮＡＣＫである。
【００８０】
本開示の具体的な実施例において、ダウンリンクＳＰＳ伝送に関する伝送を前記端末が前記所定伝送リソースで実行すると決定するステップは、ダウンリンクＳＰＳ  ＰＤＳＣＨ伝送を前記端末が受信すると決定すること、および／または、ダウンリンクＳＰＳ  ＰＤＳＣＨ伝送に対応するＨＡＲＱ−ＡＣＫ伝送を前記端末が行うと決定することを含む。
【００８１】
（実施例５）
上記目的をよりよく実現するために、図１６に示すように、本開示の実施例５は、端末をさらに提供する。当該端末は、プロセッサ４１と、バスインタフェース４２を介して前記プロセッサ４１に接続し、前記プロセッサ４１による操作実行に用いられるプログラムとデータを格納するためのメモリ４３とを含む。プロセッサ４１は、前記メモリ4３に格納されているプログラムとデータを呼び出して実行すると、以下のプロセスを実行する。
【００８２】
ここで、トランシーバ４４は、バスインタフェース４２に接続し、プロセッサ４１による制御でデータを送受信することに用いられる。具体的に、前記トランシーバ４４は、基地局から送信されるＳＦＩを取得することと、前記ＳＦＩで指示される所定伝送リソースの伝送方向がダウンリンクＳＰＳ伝送に関する伝送要求を満たさない場合、ダウンリンクＳＰＳ伝送に関する伝送を前記所定伝送リソースで実行しないこと、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記所定伝送リソースで実行することとに用いられ、ここで、前記所定伝送リソースは、ダウンリンクＳＰＳ伝送に関する伝送を実行するためのリソースである。
【００８３】
ここで、前記ＳＦＩで指示される所定伝送リソースの伝送方向がダウンリンクＳＰＳ伝送に関する伝送要求を満たさないことは、具体的に、前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送用のリソースであり、および／または、前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送に対応するＨＡＲＱ−ＡＣＫ伝送用のリソースである。
【００８４】
ここで、前記ＳＦＩで指示される所定伝送リソースの伝送方向がダウンリンクＳＰＳ伝送に関する伝送要求を満たすことは、具体的に、前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送用のリソースであり、および／または、前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送に対応するＨＡＲＱ−ＡＣＫ伝送用のリソースである。
【００８５】
また、トランシーバ４４は、ダウンリンクＳＰＳ伝送に関する伝送を前記所定伝送リソースで実行しないステップとして、ダウンリンクＳＰＳ  ＰＤＳＣＨ伝送を受信しないことを含む。
【００８６】
一方、トランシーバ４４は、ダウンリンクＳＰＳ伝送に関する伝送を前記所定伝送リソースで実行しないステップとして、ダウンリンクＳＰＳ  ＰＤＳＣＨ伝送に対応する前記ＨＡＲＱ−ＡＣＫ伝送を行わないことをさらに含む。
【００８７】
本開示の具体的な実施例の前記端末において、前記トランシーバ４４は、さらに、前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を行うことに用いられ、かつフィードバック情報がＮＡＣＫである。
【００８８】
本開示の具体的な実施例において、前記ＳＦＩで指示される所定伝送リソースの伝送方向がダウンリンクＳＰＳの伝送要求を満たさず、前記トランシーバ４４がダウンリンクＳＰＳ伝送に関する伝送を前記所定伝送リソースで実行すると決定するステップとして、ダウンリンクＳＰＳ  ＰＤＳＣＨ伝送を受信すること、および／または、ダウンリンクＳＰＳ  ＰＤＳＣＨ伝送に対応するＨＡＲＱ−ＡＣＫ伝送を行うことを含む。
【００８９】
本開示の具体的な実施例において、端末が前記データ伝送を実行する実行条件として、前記ダウンリンクＳＰＳ伝送の活性化を指示するＰＤＣＣＨを前記端末が受信した後、または、前記ダウンリンクＳＰＳ伝送の活性化を指示するＰＤＣＣＨを前記端末が受信してから、前記ダウンリンクＳＰＳ伝送の解放を指示するＰＤＣＣＨを正しく受信するまでの間である。
【００９０】
なお、図１６において、バスアーキテクチャは、任意数の相互接続するバスとブリッジを含み、具体的に、プロセッサ４１をはじめとする１つ又は複数のプロセッサとメモリ４３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ４４は、複数の部品であってもよく、即ち送信機と受信機を含み、伝送媒体でほかの各種類の装置と通信するユニットとして提供される。端末によっては、ユーザインタフェース４５は、内部接続や外部接続する機器のインタフェースであってもよい。接続する機器は、キーパッド、ディスプレイ、スピーカ、マイクロフォン、ジョイスティックなどを含むが、それらに限られない。プロセッサ４１は、バスアーキテクチャと通常の処理を管理する。メモリ４３は、プロセッサ４１による操作実行に使用されるデータを記憶できる。
【００９１】
当業者にとって以下事項が理解可能である。上記実施例を実現する方法のすべてまたは一部のステップは、ハードウェアによって実現されてもよく、コンピュータプログラムで関連ハードウェアに指示して行ってもよい。前記コンピュータプログラムは、上記方法のステップの一部またはすべてを実行する指令を含み、かつ読み取り可能な記憶媒体に格納される。記憶媒体は、あらゆる形態の記憶媒体であってもよい。
【００９２】
（実施例６）
図１７に示すように、本開示の実施例５は、基地局をさらに提供する。当該基地局は、プロセッサ１７００と、バスインタフェースを介して前記プロセッサ１７００に接続し、前記プロセッサによる操作実行に用いられるプログラムとデータを格納するためのメモリ１７２０と、バスインタフェースを介してプロセッサ１７００に接続するトランシーバ１７１０を含む。前記トランシーバ１７１０によってデータ情報またはパイロットを送信し、さらに前記トランシーバ１７１０によってアップリンク制御チャネルを受信する。プロセッサ１７００は、前記メモリ１７２０に格納されているプログラムとデータを呼び出して実行すると、以下の機能的モジュールを実現する。プロセッサ１７００は、メモリ１７２０からプログラムを読み取ることによって、以下のプロセスを実行する。
トランシーバ１７１０は、プロセッサ１７００による制御でデータを送受信することに用いられる。具体的に、前記トランシーバ１７１０は、ＳＦＩを端末に送信することに用いられる。前記プロセッサ１７００は、前記ＳＦＩで指示される所定伝送リソースの伝送方向がダウンリンクＳＰＳ伝送に関する伝送要求を満たさない場合、ダウンリンクＳＰＳ伝送に関する伝送を前記端末が前記所定伝送リソースで実行しないと決定すること、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記端末が前記所定伝送リソースで実行すると決定することに用いられる。ここで、前記所定伝送リソースは、ダウンリンクＳＰＳ伝送に関する伝送を実行するためのリソースである。
【００９３】
また、前記プロセッサ１７００は、具体的に、前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することに用いられ、ここで、前記所定伝送リソースは、ダウンリンクＳＰＳ  ＰＤＳＣＨ伝送用のリソースであり、および／または、前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することに用いられ、ここで、前記所定伝送リソースは、ダウンリンクＳＰＳ  ＰＤＳＣＨ伝送に対応するＨＡＲＱ−ＡＣＫ伝送用のリソースである。
【００９４】
また、前記プロセッサ１７００は、具体的に、前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することに用いられ、ここで、前記所定伝送リソースは、ダウンリンクＳＰＳ  ＰＤＳＣＨ伝送用のリソースであり、および／または、前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することに用いられ、ここで、前記所定伝送リソースは、ダウンリンクＳＰＳ  ＰＤＳＣＨ伝送に対応するＨＡＲＱ−ＡＣＫ伝送用のリソースである。
【００９５】
前記プロセッサ１７００は、ダウンリンクＳＰＳ伝送に関する伝送を前記端末が前記所定伝送リソースで実行しないと決定する際に、具体的に、ダウンリンクＳＰＳ  ＰＤＳＣＨ伝送を前記端末が受信しないと決定することに用いられる。
【００９６】
また、前記プロセッサ１７００は、ダウンリンクＳＰＳ伝送に関する伝送を前記端末が前記所定伝送リソースで実行しないと決定する際に、具体的に、ダウンリンクＳＰＳ  ＰＤＳＣＨ伝送に対応する前記ＨＡＲＱ−ＡＣＫ伝送を前記端末が行わないと決定することに用いられる。
【００９７】
さらに、前記プロセッサ１７００は、さらに、前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を前記端末が行うと決定することに用いられ、かつフィードバック情報がＮＡＣＫである。
【００９８】
本開示の具体的な実施例の別の方面において、プロセッサ１７００は、ダウンリンクＳＰＳ伝送に関する伝送を前記端末が前記所定伝送リソースで実行すると決定する際に、具体的に、ダウンリンクＳＰＳ  ＰＤＳＣＨ伝送を前記端末が受信すると決定すること、および／または、ダウンリンクＳＰＳ  ＰＤＳＣＨ伝送に対応するＨＡＲＱ−ＡＣＫ伝送を前記端末が行うと決定することに用いられる。
【００９９】
なお、図１７において、バスアーキテクチャは、任意数の相互接続するバスとブリッジを含み、具体的に、プロセッサ１７００をはじめとする１つ又は複数のプロセッサとメモリ１７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１７１０は、複数の部品であってもよく、即ち送信機と受信機を含み、伝送媒体でほかの各種類の装置と通信するユニットとして提供される。プロセッサ１７００は、バスアーキテクチャと通常の処理を管理する。メモリ１７２０は、プロセッサ１７００による操作実行に使用されるデータを記憶できる。
【０１００】
当業者にとって以下事項が理解可能である。上記実施例を実現する方法のすべてまたは一部のステップは、ハードウェアによって実現されてもよく、コンピュータプログラムで関連ハードウェアに指示して行ってもよい。前記コンピュータプログラムは、上記方法のステップの一部またはすべてを実行する指令を含み、かつ読み取り可能な記憶媒体に格納される。記憶媒体は、あらゆる形態の記憶媒体であってもよい。
【０１０１】
（実施例７）
図１８に示すように、本開示の具体的な実施例は、端末をさらに提供する。当該端末は、基地局から送信されるＳＦＩを取得することに用いられる第１送受信モジュールと、前記ＳＦＩで指示される所定伝送リソースの伝送方向がダウンリンクＳＰＳ伝送に関する伝送要求を満たさない場合、ダウンリンクＳＰＳ伝送に関する伝送を前記所定伝送リソースで実行しないことに用いられる第２送受信モジュール、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記所定伝送リソースで実行することに用いられる第３送受信モジュールとを含み、ここで、前記所定伝送リソースは、ダウンリンクＳＰＳ伝送に関する伝送を実行するためのリソースである。
【０１０２】
具体的に、前記ＳＦＩで指示される所定伝送リソースの伝送方向がダウンリンクＳＰＳ伝送に関する伝送要求を満たさないことは、具体的に、前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送用のリソースであり、および／または、前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送に対応するＨＡＲＱ−ＡＣＫ伝送用のリソースである。
【０１０３】
本開示の具体的な実施例の別の方面において、前記ＳＦＩで指示される所定伝送リソースの伝送方向がダウンリンクＳＰＳ伝送に関する伝送要求を満たすことは、具体的に、前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送用のリソースであり、および／または、前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送に対応するＨＡＲＱ−ＡＣＫ伝送用のリソースである。
【０１０４】
具体的に、第２送受信モジュールがダウンリンクＳＰＳ伝送に関する伝送を前記所定伝送リソースで実行しないステップは、ダウンリンクＳＰＳ伝送を受信しないことを含む。
【０１０５】
また、前記第２送受信モジュールがダウンリンクＳＰＳ伝送に関する伝送を前記所定伝送リソースで実行しないステップは、ダウンリンクＳＰＳ  ＰＤＳＣＨ伝送に対応する前記ＨＡＲＱ−ＡＣＫ伝送を行わないことをさらに含む。
【０１０６】
また、前記第２送受信モジュールは、さらに、前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を行うことに用いられ、かつフィードバック情報がＮＡＣＫである。
【０１０７】
本開示の具体的な実施例において、前記第３送受信モジュールがダウンリンクＳＰＳ伝送に関する伝送を前記所定伝送リソースで実行するステップは、ダウンリンクＳＰＳ  ＰＤＳＣＨ伝送を受信すること、および／または、ダウンリンクＳＰＳ  ＰＤＳＣＨ伝送に対応するＨＡＲＱ−ＡＣＫ伝送を行うことを含む。
【０１０８】
本開示の具体的な実施例において、前記端末が前記データ伝送を実行する実行条件として、前記ダウンリンクＳＰＳ伝送の活性化を指示するＰＤＣＣＨを前記端末が受信した後、または、前記ダウンリンクＳＰＳ伝送の活性化を指示するＰＤＣＣＨを前記端末が受信してから、前記ダウンリンクＳＰＳ伝送の解放を指示するＰＤＣＣＨを正しく受信するまでの間である。
【０１０９】
（実施例８）
本開示の具体的な実施例の別の方面において、基地局をさらに提供する。図１９にしめすように、当該基地局は、ＳＦＩを端末に送信することに用いられる第４送受信モジュールと、前記ＳＦＩで指示される所定伝送リソースの伝送方向がダウンリンクＳＰＳ伝送に関する伝送要求を満たさない場合、ダウンリンクＳＰＳ伝送に関する伝送を前記端末が前記所定伝送リソースで実行しないと決定することに用いられる第１処理モジュール、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記端末が前記所定伝送リソースで実行すると決定することに用いられる第２処理モジュールとを含み、ここで、前記所定伝送リソースは、ダウンリンクＳＰＳ伝送に関する伝送を実行するためのリソースである。
【０１１０】
ここで、前記第１処理モジュールは、具体的に、前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することに用いられ、ここで、前記所定伝送リソースは、ダウンリンクＳＰＳ  ＰＤＳＣＨ伝送用のリソースであり、および／または、前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することに用いられ、ここで、前記所定伝送リソースは、ダウンリンクＳＰＳ  ＰＤＳＣＨ伝送に対応するＨＡＲＱ−ＡＣＫ伝送用のリソースである。
【０１１１】
また、前記第１処理モジュールは、具体的に、前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することに用いられ、ここで、前記所定伝送リソースは、ダウンリンクＳＰＳ  ＰＤＳＣＨ伝送用のリソースであり、および／または、前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することに用いられ、ここで、前記所定伝送リソースは、ダウンリンクＳＰＳ  ＰＤＳＣＨ伝送に対応するＨＡＲＱ−ＡＣＫ伝送用のリソースである。
【０１１２】
また、第１処理モジュールがダウンリンクＳＰＳ伝送に関する伝送を前記端末が前記所定伝送リソースで実行しないと決定するステップは、具体的に、ダウンリンクＳＰＳ  ＰＤＳＣＨ伝送を前記端末が受信しないと決定する。
【０１１３】
前記第１処理モジュールがダウンリンクＳＰＳ伝送に関する伝送を前記端末が前記所定伝送リソースで実行しないと決定するステップは、さらに具体的に、ダウンリンクＳＰＳ  ＰＤＳＣＨ伝送に対応するＨＡＲＱ−ＡＣＫ伝送を前記端末が行わないと決定する。
【０１１４】
また、前記第１処理モジュールは、さらに、前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を前記端末が行うと決定することに用いられ、かつフィードバック情報がＮＡＣＫである。
【０１１５】
本開示の具体的な実施例の基地局において、前記第２処理モジュールがダウンリンクＳＰＳ伝送に関する伝送を前記端末が前記所定伝送リソースで実行すると決定すること、具体的に、ダウンリンクＳＰＳ  ＰＤＳＣＨ伝送を前記端末が受信すると決定し、および／または、ダウンリンクＳＰＳ  ＰＤＳＣＨ伝送に対応するＨＡＲＱ−ＡＣＫ伝送を前記端末が行うと決定する。
【０１１６】
本開示の具体的な実施例の別の方面は、コンピュータプログラムが格納されているコンピュータ読み取り可能な記憶媒体をさらに提供する。前記コンピュータプログラムがプロセッサによって実行されると、前記コンピュータプログラムがプロセッサによって実行されると、以上記載したいずれか一つのデータ伝送方法のステップが実現される。
【０１１７】
以上の記載によれば、本開示のデータ伝送方法を実行するコンピュータ読み取り可能な記憶媒体の具体的な構造を当業者が知ることができるため、ここでは詳細に説明しない。
【０１１８】
本開示の具体的な実施例のデータ伝送方法、端末、基地局およびコンピュータ読み取り可能な記憶媒体において、ＳＦＩによって決定されるダウンリンクＳＰＳ伝送に対応するリソースの方向がダウンリンクＳＰＳ要求を満たさない場合、および／または、ダウンリンクＳＰＳ要求を満たす場合のデータ伝送方式を明確化し、基地局からＳＦＩとダウンリンクＳＰＳのＰＤＳＣＨ伝送が同時に設定される場合のデータ伝送問題を解決でき、端末ＵＥの正常の通信を保証し、端末の電力節約効果も達成する。
【０１１９】
また、本開示の装置と方法において、明らかに、各部品または各ステップは、分解および／または再度の組み合わせが可能である。これらの分解および／または再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、または、互いに独立に実行されてもよい。当業者にとって、本開示の方法および装置のすべてまたは任意のステップや部品は、任意の計算装置（プロセッサ、記憶媒体などを含む）や計算装置のネットワークでハードウェア、ファームウェア、ソフトウェアまたはそれらの組み合わせによって実現されうることが理解できる。これは、当業者が本開示の説明を閲読して基本的なプログラミング技能を活用して実現できることである。
【０１２０】
したがって、本開示の目的は、任意の計算装置で１つまたは一連のプログラムを実行することによっても実現されうる。前記計算装置は、周知されている汎用装置である。したがって、本開示の目的は、前記方法または装置を実現するプログラムコードを含むプログラムプロダクトの提供のみでも実現されうる。すなわち、このようなプログラムプロダクトも本開示を構成し、しかもこのようなプログラムプロダクトを記憶した記憶媒体も本開示を構成する。明らかに、前記記憶媒体は、任意の周知される記憶媒体または将来開発されうる任意の記憶媒体である。なお、本開示の装置と方法において、各部品または各ステップは、分解および／または再度の組み合わせが可能である。これらの分解および／または再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、または、互いに独立に実行されてもよい。
【０１２１】
以上記載されたのは、本開示の好適な実施形態である。当業者は、本開示に記載されている原理を逸脱せずに様々な改良や修飾をすることもできる。これらの改良や修飾も、本開示の保護範囲にある。
【図１】
2021503848.tif 000003
【図２】
2021503848.tif 000004
【図３】
2021503848.tif 000005
【図４】
2021503848.tif 000006
【図５】
2021503848.tif 000007
【図６】
2021503848.tif 000008
【図７】
2021503848.tif 000009
【図８】
2021503848.tif 000010
【図９】
2021503848.tif 000011
【図１０】
2021503848.tif 000012
【図１１】
2021503848.tif 000013
【図１２】
2021503848.tif 000014
【図１３】
2021503848.tif 000015
【図１４】
2021503848.tif 000016
【図１５】
2021503848.tif 000017
【図１６】
2021503848.tif 000018
【図１７】
2021503848.tif 000019
【図１８】
2021503848.tif 000020
【図１９】
2021503848.tif 000021
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
端末に応用されるデータ伝送方法において、
基地局から送信されるＳＦＩ（Ｓｌｏｔ  Ｆｏｒｍａｔ  Ｉｎｄｉｃａｔｉｏｎ）を取得するステップと、
前記ＳＦＩで指示される所定伝送リソースの伝送方向がダウンリンクＳＰＳ（Ｓｅｍｉ−ｐｅｒｓｉｓｔｅｎｔ  Ｓｃｈｅｄｕｌｉｎｇ）伝送に関する伝送要求を満たさない場合、ダウンリンクＳＰＳ伝送に関する伝送を前記所定伝送リソースで実行しないステップ、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記所定伝送リソースで実行するステップと、を含み、
ここで、前記所定伝送リソースは、ダウンリンクＳＰＳ伝送に関する伝送を実行するためのリソースである、データ伝送方法。
【請求項２】
前記ＳＦＩで指示される所定伝送リソースの伝送方向がダウンリンクＳＰＳ伝送に関する伝送要求を満たさないことは、具体的に、
前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送用のリソースであり、
および／または、
前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送に対応するＨＡＲＱ−ＡＣＫ伝送用のリソースであり、
前記ＳＦＩで指示される所定伝送リソースの伝送方向がダウンリンクＳＰＳ伝送に関する伝送要求を満たすことは、具体的に、
前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送用のリソースであり、
および／または、
前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送に対応するＨＡＲＱ−ＡＣＫ伝送用のリソースである、請求項１に記載のデータ伝送方法。
【請求項３】
ダウンリンクＳＰＳ伝送に関する伝送を前記所定伝送リソースで実行しないステップは、
ダウンリンクＳＰＳ  ＰＤＳＣＨ伝送を受信しないこと、および／または、
ダウンリンクＳＰＳ  ＰＤＳＣＨ伝送に対応するＨＡＲＱ−ＡＣＫ伝送を行わないことを含み、
ダウンリンクＳＰＳ伝送に関する伝送を前記所定伝送リソースで実行するステップは、
ダウンリンクＳＰＳ  ＰＤＳＣＨ伝送を受信すること、および／または、
ダウンリンクＳＰＳ  ＰＤＳＣＨ伝送に対応するＨＡＲＱ−ＡＣＫ伝送を行うことを含む、請求項２に記載のデータ伝送方法。
【請求項４】
ダウンリンクＳＰＳ  ＰＤＳＣＨ伝送を受信しないときに、
前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を行うことをさらに含み、かつフィードバック情報がＮＡＣＫである、請求項３に記載のデータ伝送方法。
【請求項５】
前記データ伝送方法の実行条件として、
前記ダウンリンクＳＰＳ伝送の活性化を指示するＰＤＣＣＨを前記端末が受信した後、または、前記ダウンリンクＳＰＳ伝送の活性化を指示するＰＤＣＣＨを前記端末が受信してから、前記ダウンリンクＳＰＳ伝送の解放を指示するＰＤＣＣＨを正しく受信するまでの間である、請求項１〜４のうちいずれか一項に記載のデータ伝送方法。
【請求項６】
基地局に応用されるデータ伝送方法において、
ＳＦＩを端末に送信するステップと、
前記ＳＦＩで指示される所定伝送リソースの伝送方向がダウンリンクＳＰＳ伝送に関する伝送要求を満たさない場合、ダウンリンクＳＰＳ伝送に関する伝送を前記端末が前記所定伝送リソースで実行しないと決定するステップ、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記端末が前記所定伝送リソースで実行すると決定するステップとを含み、
ここで、前記所定伝送リソースは、ダウンリンクＳＰＳ伝送に関する伝送を実行するためのリソースである、データ伝送方法。
【請求項７】
前記ＳＦＩで指示される所定伝送リソースの伝送方向がダウンリンクＳＰＳ伝送に関する伝送要求を満たさないことは、具体的に、
前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送用のリソースであり、
および／または、
前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送に対応するＨＡＲＱ−ＡＣＫ伝送用のリソースであり、
前記ＳＦＩで指示される所定伝送リソースの伝送方向がダウンリンクＳＰＳ伝送に関する伝送要求を満たすことは、具体的に、
前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送用のリソースであり、
および／または、
前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送に対応するＨＡＲＱ−ＡＣＫ伝送用のリソースである、請求項６に記載のデータ伝送方法。
【請求項８】
ダウンリンクＳＰＳ伝送に関する伝送を前記端末が前記所定伝送リソースで実行しないと決定するステップは、
ダウンリンクＳＰＳ  ＰＤＳＣＨ伝送を前記端末が受信しないと決定すること、および／または、
ダウンリンクＳＰＳ  ＰＤＳＣＨ伝送に対応するＨＡＲＱ−ＡＣＫ伝送を前記端末が行わないと決定することを含み、
ダウンリンクＳＰＳ伝送に関する伝送を前記端末が前記所定伝送リソースで実行すると決定するステップは、
ダウンリンクＳＰＳ  ＰＤＳＣＨ伝送を前記端末が受信すると決定すること、および／または、
ダウンリンクＳＰＳ  ＰＤＳＣＨ伝送に対応するＨＡＲＱ−ＡＣＫ伝送を前記端末が行うと決定することを含む、請求項７に記載のデータ伝送方法。
【請求項９】
ダウンリンクＳＰＳ  ＰＤＳＣＨ伝送を前記端末が受信しないと決定するときに、
前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を前記端末が行うと決定することをさらに含み、かつフィードバック情報がＮＡＣＫである、請求項８に記載のデータ伝送方法。
【請求項１０】
基地局から送信されるＳＦＩを取得することに用いられる第１送受信モジュールと、
前記ＳＦＩで指示される所定伝送リソースの伝送方向がダウンリンクＳＰＳ伝送に関する伝送要求を満たさない場合、ダウンリンクＳＰＳ伝送に関する伝送を前記所定伝送リソースで実行しないことに用いられる第１伝送モジュール、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記所定伝送リソースで実行することに用いられる第２伝送モジュールと、を含み、
ここで、前記所定伝送リソースは、ダウンリンクＳＰＳ伝送に関する伝送を実行するためのリソースである、端末。
【請求項１１】
前記ＳＦＩで指示される所定伝送リソースの伝送方向がダウンリンクＳＰＳ伝送に関する伝送要求を満たさないことは、具体的に、
前記ＳＦＩで指示される前記所定伝送リソースの伝送方向がアップリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送用のリソースであり、
および／または、
前記ＳＦＩで指示される前記所定伝送リソースの伝送方向がダウンリンクである場合、前記ＳＦＩで指示される所定伝送リソースの伝送方向がダウンリンクＳＰＳの伝送要求を満たさないと決定することを含み、ここで、前記所定伝送リソースは、ダウンリンクＳＰＳ  ＰＤＳＣＨ伝送に対応するＨＡＲＱ−ＡＣＫ伝送用のリソースであり、
前記ＳＦＩで指示される所定伝送リソースの伝送方向がダウンリンクＳＰＳ伝送に関する伝送要求を満たすことは、具体的に、
前記ＳＦＩで指示される前記所定伝送リソースの伝送方向がダウンリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送用のリソースであり、
および／または、
前記ＳＦＩで指示される前記所定伝送リソースの伝送方向がアップリンクまたはｕｎｋｎｏｗｎである場合、前記ＳＦＩで指示される所定伝送リソースの伝送方向がダウンリンクＳＰＳの伝送要求を満たすと決定することを含み、ここで、前記所定伝送リソースは、ダウンリンクＳＰＳ  ＰＤＳＣＨ伝送に対応するＨＡＲＱ−ＡＣＫ伝送用のリソースである、請求項１０に記載の端末。
【請求項１２】
ダウンリンクＳＰＳ伝送に関する伝送を前記所定伝送リソースで実行しない場合、
前記第１伝送モジュールは、
ダウンリンクＳＰＳ  ＰＤＳＣＨ伝送を受信しない、および／または、
ダウンリンクＳＰＳ  ＰＤＳＣＨ伝送に対応するＨＡＲＱ−ＡＣＫ伝送を行わないように構成され、
ダウンリンクＳＰＳ伝送に関する伝送を前記所定伝送リソースで実行する場合、
前記第２伝送モジュールは、
ダウンリンクＳＰＳ  ＰＤＳＣＨ伝送を受信する、および／または、
ダウンリンクＳＰＳ  ＰＤＳＣＨ伝送に対応するＨＡＲＱ−ＡＣＫ伝送を行うように構成される、請求項１１に記載の端末。
【請求項１３】
ダウンリンクＳＰＳ  ＰＤＳＣＨ伝送を受信しないときに、
前記第１伝送モジュールは、さらに
前記ＳＦＩで指示されるダウンリンクＳＰＳ  ＰＤＳＣＨ伝送に対応するＨＡＲＱ−ＡＣＫ伝送用のリソースがアップリンクまたはｕｎｋｎｏｗｎである場合、前記ダウンリンクＳＰＳ  ＰＤＳＣＨ伝送に対応するＨＡＲＱ−ＡＣＫ伝送を行い、かつフィードバック情報がＮＡＣＫである、請求項１２に記載の端末。
【請求項１４】
端末がデータ伝送を行う実行条件として、
前記ダウンリンクＳＰＳ伝送の活性化を指示するＰＤＣＣＨを前記端末が受信した後、または、前記ダウンリンクＳＰＳ伝送の活性化を指示するＰＤＣＣＨを前記端末が受信してから、前記ダウンリンクＳＰＳ伝送の解放を指示するＰＤＣＣＨを受信するまでの間である、請求項１０〜１３のうちいずれか一項に記載の端末。
【請求項１５】
ＳＦＩを端末に送信することに用いられる第２送受信モジュールと、
前記ＳＦＩで指示される所定伝送リソースの伝送方向がダウンリンクＳＰＳ伝送に関する伝送要求を満たさない場合、ダウンリンクＳＰＳ伝送に関する伝送を前記端末が前記所定伝送リソースで実行しないと決定することに用いられる第１処理モジュール、および／または、前記ＳＦＩで指示される所定伝送リソースの伝送方向がダウンリンクＳＰＳ伝送に関する伝送要求を満たす場合、ダウンリンクＳＰＳ伝送に関する伝送を前記端末が前記所定伝送リソースで実行すると決定することに用いられる第２処理モジュールとを含み、
ここで、前記所定伝送リソースは、ダウンリンクＳＰＳ伝送に関する伝送を実行するためのリソースである、基地局。
【国際調査報告】
2021503848.tif 000022
2021503848.tif 000023
2021503848.tif 000024
2021503848.tif 000025